(57)【要約】【課題】手の不自由な者でも簡単に使用することができるようにする。【解決手段】熊手部２と、この熊手部２の基部に設けられ且つ把持可能な柄部３とを備え、前記柄部３は、熊手部２の基部側に設られ且つ押圧力によって熊手部２を押動ことが可能な押動部６と、この押動部６に連結された棒状の把持部７とを有している。【選択図】図１
0003122145.tif 000002
【実用新案登録請求の範囲】
【請求項１】
熊手部と、この熊手部の基部に設けられ且つ把持可能な柄部とを備え、前記柄部は、熊手部の基部側に設られ且つ押圧力によって熊手部を押動ことが可能な押動部と、この押動部に連結された把持部とを有していることを特徴とする園芸用熊手。
【請求項２】
前記押動部は、熊手部と把持部との間で熊手部の先端側と反対方向に突出する突出部で構成されていることを特徴とする請求項１に記載の園芸用熊手。
【考案の詳細な説明】
【技術分野】
【０００１】
本考案は、例えば、片手で使用することができる園芸用熊手に関するものである。
【背景技術】
【０００２】
従来より、園芸用熊手として、例えば特許文献１に示すものがある。特許文献１に示す園芸用熊手は、熊手部と、この熊手部の基部に設けられた柄部とを備えている。
柄部は筒状や棒状の形状のもので、この柄部を片手で把持することによって、使用することができる。
【特許文献１】特開２００４−８０９９号公報
【考案の開示】
【考案が解決しようとする課題】
【０００３】
従来の園芸用熊手は、柄部が筒状や棒状の形状であって、その柄部を握って使用することが前提であったため、手が不自由で柄部を握ることが困難である者にとっては使用することができないという問題があった。
本考案は、上記のような実情に鑑みてされてたもので、その目的とするところは、手の不自由な者でも簡単に使用することができる園芸用熊手を提供することにある。
【課題を解決するための手段】
【０００４】
前記目的を達成するため、本考案は、次の手段を講じた。
本考案の園芸用熊手は、熊手部と、この熊手部の基部に設けられ且つ把持可能な柄部とを備え、前記柄部は、熊手部の基部側に設られ且つ押圧力によって熊手部を押動ことが可能な押動部と、この押動部に連結された把持部とを有している点にある。
前記押動部は、熊手部と把持部との間で熊手部の先端側と反対方向に突出する突出部で構成されていることが好ましい。
これによれば、手が不自由で握ることができない者であっても、例えば、押動部に手のひらを当て、手のひらで押動部を押すように移動させれば、簡単に園芸用熊手を使用することができる。
【０００５】
押動部を、熊手部と把持部との間で熊手部の先端側と反対方向に突出する突出部で構成していることから、非常に簡単に押動部を構成することができる。
なお、 押動部（突出部）の外周面を、円弧状の曲面となるように形成していることから、突出部を手のひらで押した際に手のひらにかかる負担を軽減することができる。さらに、突出部を軽く掴むことができ、突出部を軽く掴んだ状態で当該突出部を移動させることで、より安定した状態で園芸用熊手を使用することができる。
【考案の効果】
【０００６】
本考案によれば、手の不自由な者でも簡単に使用することができる。
【考案を実施するための最良の形態】
【０００７】
以下、本考案の実施の形態を図面に基づいて説明する。
図１〜４は、本考案の園芸用熊手を示している。
この園芸用熊手１は、片手で使用することができるものであり、熊手部２と、この熊手部２の基部に設けられた柄部３とを備えている。
以下、説明の便宜上、園芸用熊手１の先端部側を前側と言い、園芸用熊手１の基部側を後側と言い、前後方向を長手方向又は操作方向と言い、園芸用熊手１の幅を左右方向と言い、左右方向及び前後方向に直行する方向を上下方向と言うことがある。
【０００８】
前記熊手部２は、例えば、雑草などを引っ掻いて取ったりすることができるもので、合成樹脂や金属等によりフォーク状に形成されている。具体的には、熊手部２は、複数のフォーク４（例えば、３本）と、この複数のフォーク４が連結される連結部５とを有している。
各フォーク４は中途部で一方向（下側）に屈曲しており、各フォーク４の基端部が連結部５に連結されている。連結部５は板状のもので、所定の間隔をおいて各フォーク４が連結されている。
【０００９】
柄部３は把持したり、又、把持しなくても園芸用熊手１を使用することができる形状のもので、熊手部２の基部の左右方向中央部から後側に突出したものとされている。この柄部３は、押動部６と、把持部７とを有している。
押動部６は、例えば、当該押動部６を手で押したり引いたりすることによって、熊手部２を押動（移動）させることができるものであって、熊手部２と把持部７との間に設けられている。
詳しくは、押動部６は熊手部２と把持部７との間に配置され、押動部６の前部が熊手部２の連結部５に連結され、押動部６の後部が把持部７に連結されている。
【００１０】
この押動部６は、フォーク４の屈曲方向と反対方向に突出する突出部で構成されている。突出部６は、連結部５の上面側から上方に向けてこぶ状に突出したものであって、連結部５の左右方向中央部から上方に突出して後側に連なる前壁８と、この前壁８から連続的に後側へ連なる上壁９と、この上壁９から連続的に連なっていて前壁８と対向する背壁１０とを備えたものとなっている。
また、突出部６は連結部５の左右方向両側から上方に突出していて前壁８、上壁９及び背壁１０とを連結する側壁１１を備えたものとなっている。上壁９は円弧状に形成されている。
【００１１】
したがって、突出部６の上壁９の外周面（上面）を、円弧状の曲面となるように形成していることから、突出部６を手のひらで押した際に手のひらにかかる負担を軽減することができる。さらに、突出部６を軽く掴むことができ、突出部を軽く掴んだ状態で当該突出部を移動させることで、より安定した状態で園芸用熊手を使用することができる。
突出部６は、連結部５の上面から上壁９の頂部までの距離Ｌ１が、上壁９の頂部から背壁１０の下部（把持部７の上面）の距離Ｌ２よりも大きくなるように、当該突出部６の高さが設定されている。
【００１２】
この実施の形態では、連結部５の上面から上壁９の頂部までの距離Ｌ１は５５ｍｍ程度となっており、突出部６の大きさ（前壁８から背壁１０までの距離Ｌ３）は５４ｍｍ程度となっている。
したがって、前記距離Ｌ１を距離Ｌ２よりも大きくなるようにしていることから、背壁１０を手のひらで押しやすく、前壁８を指を用いて押しやすくしている。
把持部７は、棒状（筒形）に形成されていて、その前側は突出部６の後側、即ち、背壁１０及び側壁１１に連結され、後側へと延びたものとなっている。図４に示すように、把持部７は上下に分かれる分割状とされていて、上把持部１３と下把持部１４とから構成されている。
【００１３】
次に、園芸用熊手１を使用する態様を、代表的な例をあげて説明する。
図５に示すように、手のひらを突出部６側（下側）に向けてその手を突出部６に当てた状態で、指や手のひらで前壁８側や背壁１０側を押すようにすれば、熊手部２が移動する。このように、突出部６を手の力（押圧力）で押すことによって園芸用熊手１を使用することができる。なお、突出部６を手の力で押す場合には、軽く突出部６を上側から掴むようにするのが好ましい。このようにすることで、安定した状態で熊手部２を移動させることができる。
【００１４】
また、手のひらを下側に向けた状態でその手を把持部７の外周面に当て、指を手のひら側に折り曲げることで、把持部７を把持することができる。このように、把持部７を把持することによっても園芸用熊手１を使用することができる。
【図面の簡単な説明】
【００１５】
【図１】本考案の園芸用熊手の斜視図である。
【図２】園芸用熊手の側面図である。
【図３】園芸用熊手の平面図である。
【図４】園芸用熊手の把持部の概略図である。
【図５】園芸用熊手の使用状態を示す図である。
【符号の説明】
【００１６】
１    園芸用熊手
２    熊手部
３    柄部
６    押動部
７    把持部
【図１】
0003122145.tif 000003
【図２】
0003122145.tif 000004
【図３】
0003122145.tif 000005
【図４】
0003122145.tif 000006
【図５】
0003122145.tif 000007